(57)【要約】【課題】浴槽の底面部を容易に視認できる、あるいは浴槽への移動動作をスムーズに行うことができる照明付浴槽装置を提供する。【解決手段】底面部と側面部とを有し、透光性を有する浴槽と、前記浴槽の外側において周状に配設され、光を放出する光源と、前記浴槽の外側において前記光源の周囲に設けられ、前記光源から放出された光を前記浴槽に向けて反射させる反射体と、前記浴槽の外側において、前記底面部の周縁領域に沿って周設された遮光体と、を備え、前記光源から放出された光は、前記遮光体により遮光され、前記周縁領域により囲まれた前記底面部の内部領域は、浴槽裏面側からの光が透過しないことを特徴とする照明付浴槽装置が提供される。【選択図】図３
2010029386.tif 000002
【特許請求の範囲】
【請求項１】
底面部と側面部とを有し、透光性を有する浴槽と、
前記浴槽の外側において周状に配設され、光を放出する光源と、
前記浴槽の外側において前記光源の周囲に設けられ、前記光源から放出された光を前記浴槽に向けて反射させる反射体と、
前記浴槽の外側において、前記底面部の周縁領域に沿って周設された遮光体と、
を備え、
前記光源から放出された光は、前記遮光体により遮光され、
前記周縁領域により囲まれた前記底面部の内部領域は、浴槽裏面側からの光が透過しないことを特徴とする照明付浴槽装置。
【請求項２】
前記底面部の前記周縁領域と、前記側面部のうちの前記周縁領域に隣接した下端領域と、は、前記光源から放出された光を前記浴槽の内部に透過させることを特徴とする請求項１記載の照明付浴槽装置。
【請求項３】
前記光源は、ＬＥＤであることを特徴とする請求項１または２に記載の照明付浴槽装置。
【請求項４】
前記反射体は、水平方向に延在する水平部と、前記水平部に略直交した方向に延在する垂直部と、を有し、
前記遮光体は、前記水平部における前記垂直部と対向する辺部に当接するように配置されてなることを特徴とする請求項１〜３のいずれか１つに記載の照明付浴槽装置。
【請求項５】
前記光源は、前記水平部と、前記垂直部と、の境界部近傍に配設されてなることを特徴とする請求項４記載の照明付浴槽装置。
【発明の詳細な説明】
【技術分野】
【０００１】
本発明の態様は、一般的に、照明付浴槽装置に関し、具体的には照明を使って浴槽内を光らせることができる照明付浴槽装置に関する。
【背景技術】
【０００２】
浴槽のデザイン性を高めたり、演出効果を高めるために、浴槽近傍に照明器具を取り付けた浴槽がある。そのような浴槽では、例えば、照明器具を浴槽の裏面側に取り付け、浴槽の一部に切り欠きを設けることにより、照明器具からの光を浴槽内に通すなどの工夫がなされている。
【０００３】
また、間接照明によって浴槽内を照明し、利用者の精神的リラックス感を高めると共に、高級感を出すために、浴槽近傍に照明装置を取り付けた浴槽がある（特許文献１）。特許文献１に記載された浴槽では、湯水を貯留するための透明材又は半透明材で成る浴槽容器の裏面側に照明装置を配置している。あるいは、特許文献１に記載された浴槽では、透明材又は半透明材の内部容器と、外部容器と、の間のスペース部に照明装置を配置している。
【０００４】
さらに、透明層と加飾層と補強層とが積層上に形成されてなる浴槽を使用し、その加飾層と補強層とにのみ切欠部を形成して、浴槽の裏面側に取り付けた照明器具の光を透明層を通して浴槽内を光らせることができる浴槽の演出照明装置がある（特許文献２）。
【０００５】
しかしながら、特許文献１および２に記載された浴槽では、浴槽の底面部近傍に設けられた照明装置や光源などにより浴槽の底面部が光るため、使用者は浴槽の底面部を視認することが困難となるおそれがある。そのため、その使用者は浴槽に足を踏み入れる際に不安を感ずるおそれがある。したがって、使用者は入浴する際の浴槽への移動動作をスムーズに行うことができないおそれがある。
【特許文献１】特開２００２−３３０８８７号公報
【特許文献２】特許第３６８７０６３号公報
【発明の開示】
【発明が解決しようとする課題】
【０００６】
本発明の態様は、かかる課題の認識に基づいてなされたものであり、浴槽の底面部を容易に視認できる、あるいは浴槽への移動動作をスムーズに行うことができる照明付浴槽装置を提供する。
【課題を解決するための手段】
【０００７】
本発明の一態様によれば、底面部と側面部とを有し、透光性を有する浴槽と、前記浴槽の外側において周状に配設され、光を放出する光源と、前記浴槽の外側において前記光源の周囲に設けられ、前記光源から放出された光を前記浴槽に向けて反射させる反射体と、前記浴槽の外側において、前記底面部の周縁領域に沿って周設された遮光体と、を備え、前記光源から放出された光は、前記遮光体により遮光され、前記周縁領域により囲まれた前記底面部の内部領域は、浴槽裏面側からの光が透過しないことを特徴とする照明付浴槽装置が提供される。
【発明の効果】
【０００８】
本発明の態様によれば、浴槽の底面部を容易に視認できる、あるいは浴槽への移動動作をスムーズに行うことができる照明付浴槽装置が提供される。
【発明を実施するための最良の形態】
【０００９】
第１の発明は、底面部と側面部とを有し、透光性を有する浴槽と、前記浴槽の外側において周状に配設され、光を放出する光源と、前記浴槽の外側において前記光源の周囲に設けられ、前記光源から放出された光を前記浴槽に向けて反射させる反射体と、前記浴槽の外側において、前記底面部の周縁領域に沿って周設された遮光体と、を備え、前記光源から放出された光は、前記遮光体により遮光され、前記周縁領域により囲まれた前記底面部の内部領域は、浴槽裏面側からの光が透過しないことを特徴とする照明付浴槽装置である。  
この照明付浴槽装置によれば、浴槽の底面部の少なくとも一部は非照射状態となる。そのため、使用者はその非照射部分の底面部を容易に視認でき、入浴する際の浴槽への移動動作をスムーズに行うことができる。
【００１０】
また、第２の発明は、第１の発明において、前記底面部の前記周縁領域と、前記側面部のうちの前記周縁領域に隣接した下端領域と、は、前記光源から放出された光を前記浴槽の内部に透過させることを特徴とする照明付浴槽装置である。  
この照明付浴槽装置によれば、遮光体によって取り囲まれた部分の底面部、すなわち遮光体よりも中央側の底面部は非照射状態となる。そのため、使用者はその非照射部分の底面部をより容易に視認でき、入浴する際の浴槽への移動動作をよりスムーズに行うことができる。
【００１１】
また、第３の発明は、第１または第２の発明において、前記光源は、ＬＥＤであることを特徴とする照明付浴槽装置である。  
この照明付浴槽装置によれば、光源の寿命を延ばすことができ、光源の交換の頻度を低減できる。
【００１２】
また、第４の発明は、第１〜第３のいずれか１つの発明において、前記反射体は、水平方向に延在する水平部と、前記水平部に略直交した方向に延在する垂直部と、を有し、前記遮光体は、前記水平部における前記垂直部と対向する辺部に当接するように配置されてなることを特徴とする照明付浴槽装置である。  
この照明付浴槽装置によれば、連結光源から放出された光をより確実に浴槽に向かって反射することができる。そのため、浴槽の底面部と側面部との境界部近傍をより明るく光らせることができる。
【００１３】
また、第５の発明は、第４の発明において、前記光源は、前記水平部と、前記垂直部と、の境界部近傍に配設されてなることを特徴とする照明付浴槽装置である。  
この照明付浴槽装置によれば、連結光源から放出された光をより確実に、且つより明るく浴槽に向かって反射することができる。そのため、浴槽の底面部と側面部との境界部近傍をより明るく光らせることができる。
【００１４】
以下、本発明の実施の形態について図面を参照しつつ説明する。なお、各図面中、同様の構成要素には同一の符号を付して詳細な説明は適宜省略する。  
図１は、本発明の実施の形態にかかる照明付浴槽装置を上方から眺めた上面模式図である。  
また、図２は、本実施形態にかかる照明付浴槽装置を側方から眺めた側面模式図である。
【００１５】
本実施形態にかかる照明付浴槽装置は、浴槽水を貯留可能であると共に、底面部１１と側面部１２との少なくとも一部が透光性を有する浴槽１０と、光を放出する複数の光源を有する連結光源２０ａ、２０ｂと、その連結光源２０ａ、２０ｂをそれぞれ保持するガイド部材３０ａ、３０ｂと、浴槽１０の外側において連結光源２０ａ、２０ｂの周囲に設けられ、連結光源２０ａ、２０ｂから放出された光を浴槽１０に向かって反射させる反射体４１、４２と、浴槽１０と反射体４２との間に形成される隙間に設けられた遮光体４５と、を備えている。
【００１６】
なお、本願明細書において「透光性」とは、連結光源からの光をほとんど反射も吸収もせずに透過させるか、あるいは連結光源からの光を一部吸収したり反射したりしても残りの光を透過し、浴槽１０の内側（浴槽水を貯留し使用者がその中に入ることのできる側）まで到達させ得る性質をいう。また、本願明細書において「水」という場合には、冷水のみならず、加熱されたお湯も含むものとする。
【００１７】
本実施形態にかかる照明付浴槽装置は、電源部６２と、電源スイッチ６４と、をさらに備えている。図１に表したように、その電源スイッチ６４は外部電源に接続されている。そして、連結光源２０ａ、２０ｂは電源部６２と電源スイッチ６４を介して外部電源に接続されている。使用者は電源スイッチ６４を切り替えることによって、その連結光源２０ａ、２０ｂを点灯させたり消灯させることができる。
【００１８】
遮光体４５は、図１に表したように、浴槽の底面部１１の外側に周状に配置されている。なお、遮光体４５と、浴槽の底面部１１および側面部１２と、については後に詳述する。連結光源２０ａ、２０ｂとガイド部材３０ａ、３０ｂとは、図２に表したように、浴槽１０の下方部に配置されている。また、図１に表したように、連結光源２０ａとガイド部材３０ａとは、浴槽１０の底面部１１および側面部１２の前方部に配置されている。一方、連結光源２０ｂとガイド部材３０ｂとは、浴槽１０の底面部１１および側面部１２の後方部および左右側方部に配置されている。そして、連結光源２０ａ、２０ｂとガイド部材３０ａ、３０ｂとは全体として、浴槽１０の底面部１１および側面部１２の少なくともいずれかを取り囲むように周状に配置されている。
【００１９】
そのため、連結光源２０ａ、２０ｂは、浴槽１０の底面部１１と側面部１２との境界部近傍を周状に光らせることができる。浴槽１０は透光性を有するため、連結光源２０ａ、２０ｂは、浴槽１０を通して浴槽１０の内側を光らせることができる。なお、連結光源とガイド部材とは、図１に表したように複数に分割されていなくともよい。例えば、連結光源とガイド部材とはそれぞれ１つの部材からなり、それらの連結光源とガイド部材とが浴槽１０の底面部１１および側面部１２の少なくともいずれかを取り囲むように周状に配置されていてもよい。
【００２０】
浴槽１０の下方部には、浴槽１０を支持する支持体５０が設けられている。また、浴槽１０の周囲には、浴槽１０の側面部１２の外面１３を隠したり、支持体５０を隠して、照明付浴槽装置のデザイン性を高める外周壁（エプロン）５５が設けられている。そして、外周壁５５には、連結光源２０ａ、２０ｂの取り付け／取り外し作業が可能な開口部５６ａ、５６ｂが設けられている。
【００２１】
図３は、本実施形態にかかる照明付浴槽装置の断面を表す断面模式図であり、図１に表したＡ−Ａ断面図に相当する。  
まず、浴槽１０の底面部１１および側面部１２について、図面を参照しつつ説明する。浴槽水を貯留可能な浴槽１０の内面上の一点において、その点での接線に垂直な直線、すなわち法線を考える。さらに、法線であって、水平方向と４５度の角度をなす法線を考える。その水平方向と４５度の角度をなす法線の上方側の浴槽１０を、本願明細書において「側面部１２」という。これに対して、その水平方向と４５度の角度をなす法線の下方側の浴槽１０を、本願明細書において「底面部１１」という。
【００２２】
図３に表したように、連結光源２０ａとガイド部材３０ａとは、浴槽１０の外側に設けられている。連結光源２０ａとガイド部材３０ａとの周囲には、反射体４１、４２が設けられている。反射体４２は支持体５０に適宜固定され、反射体４１は反射体４２の上方部に適宜固定されている。反射体４２は、図３に表したように、水平方向に延在する水平部４２ａと、その水平部４２ａに略直交した方向に延在する垂直部４２ｂと、を有している。そして、ガイド部材３０ａは、固定部材４８によって反射体４２の水平部４２ａと垂直部４２ｂとの境界部近傍に固定されている。これについては、後に詳述する。
【００２３】
連結光源２０ａから放出された光は、ガイド部材３０ａを通して、底面部１１の外面（裏面）１４の中央側に直接的に回り込み入射しようとする。あるいは、連結光源２０ａから放出された光は、直接的に入射しない場合であっても、反射体４１、４２で乱反射されることによって、外面１４の中央側に間接的に回り込み入射しようとする。
【００２４】
連結光源２０ａから放出された光が直接的あるいは間接的に外面１４の中央側に入射すると、浴槽１０は透光性を有するため、浴槽１０の底面部１１は略全体的に光る。浴槽１０の底面部１１が略全体的に光ると、使用者は浴槽１０の底面部１１を視認することが困難となるおそれがある。そのため、その使用者は浴槽１０に足を踏み入れる際に不安を感ずるおそれがある。したがって、使用者は入浴する際の浴槽１０への移動動作をスムーズに行うことができないおそれがある。
【００２５】
これに対して、本実施形態にかかる照明付浴槽装置においては、図３に表したように、浴槽１０と反射体４２との間に形成された隙間に遮光体４５が設けられている。より具体的には、遮光体４５は、水平部４２ａにおける垂直部４２ｂと対向する辺部に当接するように配置され、浴槽１０の底面部１１の外面１４と、反射体４２と、に周状に付設されている。そして、外面１４と遮光体４５との間、および反射体４２と遮光体４５との間には、隙間はほとんどない。
【００２６】
この遮光体４５は、例えば黒色の発泡部材やゴムなどの弾性体からなり、連結光源２０ａから放出された光を遮光できる性質を有する。なお、本願明細書において「遮光性」とは、連結光源からの光をほとんど反射したり吸収して不透過とするか、あるいは連結光源からの光を一部吸収も反射もせずに透過しても、浴槽１０の内側まで到達させ得ない性質をいう。
【００２７】
そのため、本実施形態にかかる照明付浴槽装置では、連結光源２０ａから放出された光は、遮光体４５よりも中央側の外面１４に回り込むことはできず、その外面１４に入射することはできない。または、連結光源２０ａから放出された光の一部は、遮光体４５よりも中央側の外面１４に回り込み、その外面１４に入射できたとしても、浴槽１０の内側まで到達できない。したがって、遮光体４５によって取り囲まれた部分の底面部１１、すなわち遮光体４５よりも中央側の底面部１１は、外面（裏面）１４からの光を透過しない。
【００２８】
ここで、遮光体４５よりも側面部１２側の底面部１１の領域を、本願明細書において「周縁領域１６」というものとする。一方、遮光体４５よりも中央側の底面部１１の領域、すなわち周縁領域１６によって囲まれた底面部１１の領域を、本願明細書において「内部領域１７」というものとする。さらに、周縁領域１６に隣接した側面部１２の領域を、本願明細書において「下端領域１５」というものとする。  
したがって言い換えれば、本実施形態にかかる照明付浴槽では、周縁領域１６によって囲まれた内部領域１７は、底面部１１の外面（裏面）１４からの光が透過しない。
【００２９】
これによれば、周縁領域１６によって囲まれた内部領域１７は非照射状態となるため、使用者はその非照射部分の底面部１１を容易に視認できる。そのため、使用者は浴槽１０に足を踏み入れる際に不安を感ずるおそれは少なく、安心して足を踏み入れることができる。したがって、使用者は入浴する際の浴槽１０への移動動作をスムーズに行うことができる。
【００３０】
浴槽１０と支持体５０とは、図３に表したように、遮光体４５よりも中央側において接着剤５２によって接合されている。そこで、遮光体４５は外面１４に周状に付設されているため、接着剤５２が連結光源２０ａの方に流れ込むことも防止できる。また、これと同様に、浴槽１０と反射体４１との間には封止体４４が設けられている。そのため、連結光源２０ａの周囲には、浴槽１０と、反射体４１、４２と、遮光体４５と、封止体４４と、によって囲まれた空間が存在する。
【００３１】
連結光源２０ａから放出された光は、浴槽１０の底面部１１と側面部１２との境界部近傍、すなわち周縁領域１６と下端領域１５とに直接的に入射する。あるいは、連結光源２０ａから放出された光は、周縁領域１６と下端領域１５とに直接的に入射しない場合であっても、反射体４１、４２で乱反射されることによって、その周縁領域１６と下端領域１５とに間接的に入射する。そして、浴槽１０は透光性を有するため、連結光源２０ａから直接的あるいは間接的に入射した光を浴槽１０の内側に透過できる。
【００３２】
このようにして、本実施形態にかかる照明付浴槽装置は、底面部１１と側面部１２との境界部近傍、すなわち周縁領域１６と下端領域１５とを光らせることができる。また、連結光源２０ａ、２０ｂとガイド部材３０ａ、３０ｂとは、図１に関して前述したように、浴槽１０の外側において底面部１１および側面部１２の少なくともいずれかを取り囲むように周状に配置されているため、周縁領域１６と下端領域１５とを周状に光らせることができる。したがって、前述したように、本実施形態にかかる照明付浴槽装置において、使用者は内部領域１７、すなわち非照射部分の底面部１１を容易に視認でき、入浴する際の浴槽１０への移動動作をスムーズに行うことができる。
【００３３】
なお、反射体４１は、連結光源２０ａから放出された光を反射するだけに限られず、その光を透過する性質（透光性）を有していてもよい。これによれば、反射体４１よりも上方部の側面部１２、すなわち下端領域１５よりも上方の側面部１２を光らせることができる。また、図３に表した断面模式図においては、連結光源２０ａおよびガイド部材３０ａの周囲の構造について説明したが、連結光源２０ｂおよびガイド部材３０ｂの周囲の構造についても同様の構造を有している。
【００３４】
次に、連結光源およびガイド部材の具体例について、図面を参照しつつ説明する。  
図４は、連結光源およびガイド部材の具体例を説明するための模式図であり、連結光源をガイド部材に挿入する前の状態を表す模式図である。  
また、図５は、本具体例にかかる連結光源をガイド部材に挿入した後の状態を表す模式図である。  
なお、説明の便宜上、連結光源２０ａおよびガイド部材３０ａについて以下説明するが、連結光源２０ｂおよびガイド部材３０ｂについても同様の構造を有する。
【００３５】
連結光源２０ａは、連結体２２ａと、複数の光源２３と、を有している。連結体２２ａは、例えば弾性体などからなり、可撓性を有している。光源２３は非可撓性を有しているが、可撓性を有する連結体２２ａに配列されているため、光源２３とそれに隣接する光源２３との間の連結体２２ａは撓むことができる。そのため、連結光源２０ａは全体として可撓性を有している。なお、光源２３は、ＬＥＤ（Light Emitting Diode）であることが好ましい。これによれば、光源２３の寿命を延ばすことができる。
【００３６】
ガイド部材３０ａは、図４に表したように、固定部材４８によって反射体４２の水平部４２ａと垂直部４２ｂとの境界部近傍に固定されている。また、反射体４２は孔４３を有している。この孔４３は、反射体４２を貫通して設けられている。固定部材４８は孔４３を通って、ガイド部材３０ａと反射体４２とを固定している。
【００３７】
ガイド部材３０ａは中空形状を有しており、一端に挿入部３１ａを有している。また、ガイド部材３０ａは、透光性を有している。そして、ガイド部材３０ａは、ガイド部材本体３７ａと、ガイド部材本体３７ａの内面（当接面）３２ａに積層された被覆層３８ａと、を有する。その被覆層３８ａは、ガイド部材本体３７ａよりも摺動性の高い材料から形成されている。ガイド部材本体３７ａの材質としては、例えば可撓性を有する塩化ビニル樹脂などが挙げられる。一方、被覆層３８ａとしては、例えばポリエチレンなどのオレフィン系樹脂のコーティング被膜などが挙げられる。
【００３８】
ガイド部材３０ａの長手方向に対して垂直方向の挿入部３１ａの断面積は、連結光源２０ａの長手方向に垂直方向の連結体２２ａおよび光源２３の断面積よりも大きい。そのため、ガイド部材３０ａの挿入部３１ａから矢印の方向に連結光源２０ａを挿入することができる。このとき、ガイド部材３０ａは、図１に表したように、浴槽１０の底面部１１および側面部１２の後方部および左右側方部に配置された状態で反射体４２に固定されているが、連結光源２０ａは可撓性を有しているため、ガイド部材３０ａの配置形状に沿って移動できる。
【００３９】
さらに、ガイド部材本体３７ａの内面３２ａには被覆層３８ａが設けられているため、連結光源２０ａは内面３２ａを滑らかに移動できる。その結果、連結光源２０ａは、内面３２ａを滑らかに移動しつつ挿入され、図５に表したように、ガイド部材３０ａの内部に収納される。つまり、連結光源２０ａは、反射体４２の水平部４２ａと垂直部４２ｂとの境界部近傍に配設される。そして、この収納状態のまま、光源２３は光を照射できる。このとき、ガイド部材３０ａは透光性を有しているため、光源２３から照射された光はガイド部材３０ａを通って周縁領域１６と下端領域１５とに入射できる。そのため、光源２３は周縁領域１６と下端領域１５とを周状に光らせることができる。
【００４０】
図４および図５に表したガイド部材３０ａは、説明の便宜上、一端の挿入部３１ａ側を表しているが、他端にも同様に挿入部を有している。そのため、ガイド部材３０ａの両端の挿入部から連結光源２０ａを挿脱可能である。そして、図２に表したように、一端の挿入部は外周壁５５の開口部５６ａ近傍に配置されており、他端の挿入部は外周壁５５の開口部５６ｂ近傍に配置されている。そして、開口部５６ａ、５６ｂは、例えば壁面ではない開放された空間に向かって設けられている。そのため、開口部５６ａあるいは開口部５６ｂから連結光源２０ａを容易に取り付けたり、取り外すことができる。また、連結光源２０ａは被覆層３８ａにより滑らかに内面を移動できるため、より容易に連結光源２０ａを取り付けたり、取り外すことができる。
【００４１】
さらに、連結光源２０ａ、２０ｂとガイド部材３０ａ、３０ｂとは、それぞれ複数に分割されているため、それぞれ１つの部材からなる場合よりも容易に連結光源２０ａ、２０ｂを取り付けたり、取り外すことができる。これは、連結光源とガイド部材とが、それぞれ１つの部材によって浴槽１０の底面部１１および側面部１２の少なくともいずれかを取り囲むように周状に配置されている場合には、長い全長を有する連結光源を取り付けたり、取り外す必要性が生ずるためである。
【００４２】
なお、連結光源２０ａを取り付けたり、取り外す場合であっても、ガイド部材３０ａは反射体４２に固定されている。また、連結光源２０ａの全長はガイド部材３０ａの全長よりも長く、且つ連結光源２０ｂの全長はガイド部材３０ｂの全長よりも長いことが好ましい。これによれば、周縁領域１６と下端領域１５とをより確実に周状に光らせることができる。すなわち、周縁領域１６と下端領域１５とにおいて、光る部分と光らない部分とが生ずることを防止できる。したがって、浴槽のデザイン性をより高めたり、演出効果をより高めることができる。
【００４３】
図６は、遮光体の設置形態の変形例を表す模式図であり、図１に表したＡ−Ａ断面図に相当する。  
本変形例にかかる照明付浴槽装置においては、遮光体４５は図３に表した遮光体よりも側面部１２側であって、底面部１１の外面１４と、反射体４２と、に周状に付設されている。その他の構造および設置形態などは、図３に表した照明付浴槽装置の構造および設置形態と同様である。
【００４４】
これによれば、遮光体４５はより側面部１２側に設けられているため、連結光源２０ａはより挟範囲となった周縁領域１６と下端領域１５とを照射する。一方、底面部１１はより広範囲に亘って非照射状態となる。すなわち、底面部１１の外面（裏面）１４からの光が透過しない内部領域１７は、より広範囲になっている。そのため、使用者はその非照射状態の底面部１１をより広範囲に亘って容易に視認できる。したがって、使用者は浴槽１０により安心して足を踏み入れることができ、入浴する際の浴槽１０への移動動作をよりスムーズに行うことができる。
【００４５】
以上説明したように、本実施形態によれば、遮光体４５は、水平部４２ａにおける垂直部４２ｂと対向する辺部に当接するように配置され、浴槽１０の底面部１１の外面１４と、反射体４２と、に周状に遮光体４５が付設されている。そのため、底面部１１の内部領域１７、すなわち遮光体４５よりも中央側の底面部１１は、外面１４からの光が透過しない。したがって、使用者はその非照射部分の底面部１１を容易に視認でき、入浴する際の浴槽１０への移動動作をスムーズに行うことができる。
【００４６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、連結光源２０ａ、２０ｂやガイド部材３０ａ、３０ｂなどが備える各要素の形状、寸法、材質、配置などやそれらの設置形態などは、例示したものに限定されるわけではなく適宜変更することができる。  
例えば、ガイド部材３０ａ、３０ｂは中空形状を有していなくともよく、連結光源２０ａ、２０ｂを適宜設定された位置に案内できる形状を有していればよい。その場合、光源２３がガイド部材３０ａ、３０ｂの外部に配置される限り、そのガイド部材３０ａ、３０ｂは透光性を有していなくともよい。また例えば、ガイド部材３０ａ、３０ｂは反射体４２に固定されていなくともよく、浴槽１０などに固定されていてもよい。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００４７】
【図１】本発明の実施の形態にかかる照明付浴槽装置を上方から眺めた上面模式図である。
【図２】本実施形態にかかる照明付浴槽装置を側方から眺めた側面模式図である。
【図３】本実施形態にかかる照明付浴槽装置の断面を表す断面模式図であり、図１に表したＡ−Ａ断面図に相当する。
【図４】連結光源およびガイド部材の具体例を説明するための模式図であり、連結光源をガイド部材に挿入する前の状態を表す模式図である。
【図５】本具体例にかかる連結光源をガイド部材に挿入した後の状態を表す模式図である。
【図６】遮光体の設置形態の変形例を表す模式図であり、図１に表したＡ−Ａ断面図に相当する。
【符号の説明】
【００４８】
１０ 浴槽、  １１ 底面部、  １２ 側面部、  １３、１４ 外面、  １５ 下端領域、  １６ 周縁領域、  １７ 内部領域、  ２０ａ、２０ｂ 連結光源、  ２２ａ、２２ｂ 連結体、  ２３ 光源、  ３０ａ、３０ｂ ガイド部材、  ３１ａ、３１ｂ 挿入部、  ３２ａ、３２ｂ 内面（当接面）、  ３７ａ、３７ｂ ガイド部材本体、  ３８ａ、３８ｂ 被覆層、  ４１、４２ 反射体、  ４３ 孔、  ４４ 封止体、  ４５ 遮光体、  ４８ 固定部材、  ５０ 支持体、  ５２ 接着剤、  ５５ 外周壁、  ５６ａ、５６ｂ 開口部、  ６２ 電源部、  ６４ 電源スイッチ
【図１】
2010029386.tif 000003
【図２】
2010029386.tif 000004
【図３】
2010029386.tif 000005
【図４】
2010029386.tif 000006
【図５】
2010029386.tif 000007
【図６】
2010029386.tif 000008